(57)【特許請求の範囲】
【請求項１】
採光シートであって、
入射角度に応じて進行方向を調整して光を透過させる偏向層と、
当該採光シートのシート面内を延びる一軸方向に沿って、当該シート面と平行でかつ当該一軸方向と非平行な他軸方向に延びる継ぎ目が形成されるように前記偏向層と並べて配置された透光層と、
前記偏向層及び前記透光層を透過した光に対する光散乱機能をもつ外観調整層と、
を備え、
前記偏向層は、前記外観調整層の一部に重なるようにして当該外観調整層に積層されており、
前記透光層は、前記外観調整層の、前記偏向層とは異なる別の一部に重なるようにして、かつ、前記外観調整層が前記継ぎ目と重なるようにして、当該外観調整層に積層されている、採光シート。
【請求項２】
前記外観調整層は、ＪＩＳＫ７１３６に準拠して計測されるヘイズ値が１５％以上である、請求項１に記載の採光シート。
【請求項３】
前記外観調整層は、ＪＩＳＫ７３６１に準拠して計測される全光線透過率が８０％以上である、請求項２に記載の採光シート。
【請求項４】
前記外観調整層は、ＪＩＳＫ７１３６に準拠して計測されるヘイズ値が３０％以上である、請求項３に記載の採光シート。
【請求項５】
前記外観調整層は、ＪＩＳＫ７１３６に準拠して計測されるヘイズ値が５０％以上である、請求項４に記載の採光シート。
【請求項６】
入射角度に応じて進行方向を調整して光を透過させる偏向層と、
ＪＩＳＫ７１３６に準拠して計測されるヘイズ値が１５％未満であり、且つ、ＪＩＳＫ７３６１に準拠して計測される全光線透過率が１０％以上８０％未満である外観調整層と、
を備える、請求項１に記載の採光シート。
【請求項７】
前記偏向層は、前記一軸方向に配列された複数の反射機能面を有し、
各反射機能面は、前記採光シートのシート面内を前記一軸方向と交差する方向に沿って延びる、請求項１乃至６のいずれか一項に記載の採光シート。
【請求項８】
請求項１乃至７に記載の採光シートを、前記偏向層が前記透光層よりも上下方向における上側に位置するように、設置する工程を備える、採光シートの設置方法。
【請求項９】
前記設置する工程において、前記採光シートの前記外観調整層を、前記偏向層及び前記透光層よりも屋内側に位置させる、請求項８に記載の採光シートの設置方法。
【発明の詳細な説明】
【技術分野】
【０００１】
本発明は、光を採光する採光シート及びこの採光シートを設置する設置方法に関する。
【背景技術】
【０００２】
窓ガラスに積層されて所定の採光機能を発揮する採光シートの一例が、例えば特許文献１に開示されている。特許文献１に開示された採光シートには、屈折率の異なる２つのストライプ状の領域が鉛直方向に交互に配列された偏向層が設けられている。この偏向層において、隣り合う２つのストライプ状の領域の間に屈折率差をもつ界面が形成される。この屈折率差をもつ界面にて屋内への直達光となるべき光を反射して跳ね上げることにより、直達光が屋内へ到達することを抑制しながら、取り込んだ光を照明光として利用することができる。
【先行技術文献】
【特許文献】
【０００３】
【特許文献１】特開２０１２−３８６２６号公報
【発明の概要】
【発明が解決しようとする課題】
【０００４】
ところが、鉛直方向における下方の位置にて採光シートに入射した光を跳ね上げると、跳ね上げられた光が屋内にいる人の顔に到達し、眩しさを感じてしまう。そこで、本件発明者は、太陽光を跳ね上げる機能をもつ偏向層を鉛直方向における上側の領域のみに配置し、鉛直方向における下側の領域には偏向機能を付与しないことを試みた。しかしながら、この場合、屋内にいる人が採光シートを観察したときに、偏向機能をもつ上側の領域と、偏向機能をもたない下側の領域と、の間で、外観上の違和感が生じてしまう。
【０００５】
本発明は以上の点を考慮してなされたものであり、偏向層を部分的に配置したことによる外観上の違和感を緩和した採光シート、並びに、この採光シートを設置する設置方法を提供することを目的とする。
【課題を解決するための手段】
【０００６】
本発明による第１の採光シートは、入射角度に応じて進行方向を調整して光を透過させる偏向層と、当該採光シートのシート面内を延びる一軸方向に沿って、当該シート面と平行でかつ当該一軸方向と非平行な他軸方向に延びる継ぎ目が形成されるように前記偏向層と並べて配置された透光層と、前記偏向層及び前記透光層を透過した光に対する光散乱機能をもつ外観調整層と、を備え、前記偏向層は、前記外観調整層の一部に重なるようにして当該外観調整層に積層されており、前記透光層は、前記外観調整層の、前記偏向層とは異なる別の一部に重なるようにして、かつ、前記外観調整層が前記継ぎ目と重なるようにして、当該外観調整層に積層されている。
【０００７】
本発明による第１の採光シートにおいて、前記外観調整層は、ＪＩＳＫ７１３６に準拠して計測されるヘイズ値が１５％以上であってもよい。
【０００８】
本発明による第１の採光シートにおいて、前記外観調整層は、ＪＩＳＫ７３６１に準拠して計測される全光線透過率が８０％以上であってもよい。
【０００９】
本発明による第１の採光シートにおいて、前記外観調整層は、ＪＩＳＫ７１３６に準拠して計測されるヘイズ値が３０％以上であってもよい。
【００１０】
本発明による第１の採光シートにおいて、前記外観調整層は、ＪＩＳＫ７１３６に準拠して計測されるヘイズ値が５０％以上であってもよい。
【００１１】
本発明による第２の採光シートは、入射角度に応じて進行方向を調整して光を透過させる偏向層と、ＪＩＳＫ７１３６に準拠して計測されるヘイズ値が１５％未満であり、且つ、ＪＩＳＫ７３６１に準拠して計測される全光線透過率が１０％以上８０％未満である外観調整層と、を備え、前記偏向層は、前記外観調整層の一部に重なるようにして当該外観調整層に積層されている。
【００１２】
本発明による第１または第２の採光シートにおいて、当該採光シートのシート面内を延びる一軸方向に沿って、前記偏向層と並べて配置された透光層をさらに備え、前記透光層は、前記外観調整層の、前記偏向層とは異なる別の一部に重なるようにして当該外観調整層に積層されていてもよい。
【００１３】
本発明による第１または第２の採光シートにおいて、前記偏向層は、前記一軸方向に配列された複数の反射機能面を有し、各反射機能面は、前記採光シートのシート面内を前記一軸方向と交差する方向に沿って延びていてもよい。
【００１４】
本発明による第１または第２の採光シートにおいて、前記一軸方向において前記偏向層が配置された側を一側とし、前記透光層が配置された側を他側としたときに、前記反射機能面は、当該採光シートの法線方向に対して一側に傾斜した方向から入射する光の少なくとも一部を反射させて、前記法線方向に対して一側に傾斜した方向に向かうように出射させる、あるいは、前記法線方向に対してなす角度が小さくなるようにして当該法線方向に対して他側に傾斜した方向に向かうように出射させるようになっていてもよい。
【００１５】
本発明による採光シートの設置方法は、前記いずれかの特徴をもつ採光シートを、前記偏向層が前記透光層よりも上下方向における上側に位置するように、設置する工程を備える。
【００１６】
本発明による採光シートの設置方法を構成する前記設置する工程において、前記採光シートの前記外観調整層を、前記偏向層及び前記透光層よりも屋内側に位置させてもよい。
【発明の効果】
【００１７】
本発明によれば、光散乱機能をもつ、あるいは、全光線透過率が１０％以上８０％未満である外観調整層の一部に、偏向層が積層されているため、偏向層を採光シート内に部分的に配置したことによる外観上の違和感を、外観調整層によって緩和することが可能となる。
【図面の簡単な説明】
【００１８】
【図１】採光シートを含む窓部材を示す斜視図である。
【図２】図１に示す窓部材の断面を示す断面図。
【図３】図２に示す採光シートの偏向層を拡大して示す断面図。
【図４】図２に示す採光シートの作用を説明するための断面図。
【図５】図２に示す採光シートを合せガラスに適用した例を示す断面図。
【図６】図２に示す採光シートをロールスクリーンに適用した例を示す斜視図。
【発明を実施するための形態】
【００１９】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２０】
また、本明細書において、「フィルム」、「シート」、「板」の用語は、呼称の違いのみに基づいて、互いから区別されるものではない。例えば、「フィルム」はシートや板と呼ばれ得るような部材も含む概念であり、したがって、「採光シート」は、「採光フィルム」や「採光板」と呼称の違いのみにおいて区別され得ない。
【００２１】
さらに、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２２】
さらに、「フィルム面（シート面、板面）」とは、対象となるフィルム状（シート状、板状）の部材を全体的かつ大局的に見た場合において対象となるフィルム状（シート状部材、板状部材）の平面方向と一致する面のことを指す。以下に説明する本実施の形態においては、採光シート２のシート面は、窓基材３の板面と平行となっている。
【００２３】
図１〜４は、本発明による一実施の形態を説明するための図である。このうち図１は、採光シート２を含む窓部材１を示す斜視図である。
【００２４】
以下に説明する採光シート２は、外光の光路を変更して取り込む機能をもつ。典型的には、採光シート２は、例えばガラス製の窓基材３に貼り付けられ、外光の光路を変更して当該光を屋外Ｓ１から屋内Ｓ２へ取り込む。とりわけ、図１に示す採光シート２は、屋内Ｓ２への直達光となるべき外光を反射して跳ね上げる。これにより、直達光が屋内Ｓ２へ到達することを抑制しながら、取り込んだ外光を照明光として利用することができる。また、外光を照明光として利用することから、照明に必要なエネルギーを節約することができ、省エネルギー及びＣＯ２の削減を図ることが可能となる。
【００２５】
図１に示すように、採光シート２及び窓基材３は、窓枠４に保持され、窓枠４と共に建物の窓部材１を構成する。ここでいう窓部材１とは、建物の開口に設置された、屋外Ｓ１と屋内Ｓ２とを仕切る仕切り部材をいう。採光シート２が貼り付けられた窓基材３は、窓枠４に設けられた溝４ａに挿入され、それらの周縁が窓枠４に覆われている。一例として、窓基材３は、従来から用いられてきたそれ自体既知の窓基材からなり、例えば、ガラス、アクリル樹脂、ポリエチレンテレフタレート樹脂（ＰＥＴ）、ポリカーボネート樹脂（ＰＣ）が挙げられる。
【００２６】
図２は、図１に示す窓部材１の縦断面である。図２に示すように、採光シート２は、接合層５を介して窓基材３に貼り付けられている。図２に示す採光シート２は、偏向層１０と、一軸方向ｄ１における一側から他側に並べて配置された偏向層１０及び透光層２０と、偏向層１０及び透光層２０に積層された外観調整層３０と、を有している。図１に示す例では、偏向層１０及び透光層２０が、屋外Ｓ１側に面し、接合層５を介して窓基材３に接合されている。一方、外観調整層３０が屋内Ｓ２側に面し、接合層４０を介して偏向層１０及び透光層２０に接合されている。
【００２７】
偏向層１０は、入射角度に応じて進行方向を調整して光Ｌ２１、Ｌ２２を透過させる機能をもつ。本実施の形態では、採光シート２の法線方向ｎｄに対して一軸方向ｄ１における一側に大きく傾斜した方向から採光シート２に入射する光Ｌ２１を反射させて、前記法線方向ｎｄに対して一側に傾斜した方向に向かうように出射させることが意図されている。これに対して、透光層２０は、入射する光Ｌ２２の進行方向を変更することなくそのまま透過させることが意図されている。したがって、採光シート２の法線方向ｎｄに対して一軸方向ｄ１における一側に大きく傾斜した方向から採光シート２に入射する光Ｌ２２であっても、透光層２０に入射した場合、進行方向を維持したままで当該透光層２０を透過していく。なお、偏向層１０の具体的な構成については、図３を参照して後述する。
【００２８】
とりわけ、図２に示す例では、一軸方向ｄ１における一側が鉛直方向における上側に一致し、一軸方向ｄ１における他側が鉛直方向における下側に一致する。したがって、採光シート２の法線方向ｎｄに対して鉛直方向ｄ１における上側に大きく傾斜した方向から偏向層１０に入射する光Ｌ２１は、当該偏向層１０にて反射して上方に向かっていく。一方、採光シート２の法線方向ｎｄに対して鉛直方向ｄ１における上側に大きく傾斜した方向から透光層２０に入射する光Ｌ２２は、進行方向を維持したままで下方に向かっていく。このような配置によれば、鉛直方向における上方に傾斜した方向から、偏向層１０よりも下方に位置する透光層２０に入射した光が、進行方向を維持したままで下方に向かっていくため、屋内Ｓ２にいる観察者に採光シート２にて跳ね上げられた光が到達して眩しく感じられることを抑制することができる。
【００２９】
ところが、偏向機能をもつ偏向層１０と偏向機能の発揮を期待されない透光層２０とが一軸方向ｄ１に並べられた場合、屋内Ｓ２にいる観察者が採光シート２を観察したときに、外観上の違和感を生じてしまう。そこで、本実施の形態では、偏向層１０及び透光層２０に、散乱機能をもつ外観調整層３０が積層されている。散乱機能をもつ外観調整層３０によれば、偏向層１０及び透光層２０を透過した光を散乱させて屋内Ｓ２に取り込むことが可能となる。これにより、屋内Ｓ２にいる観察者が採光シート２を観察したときに、偏向機能をもつ偏向層１０と偏向機能の発揮を期待されない透光層２０と、の間で、外観上の違和感を感じることを抑制することができる。
【００３０】
図２に示す外観調整層３０は、主部３１と、主部３１に分散された光を散乱させる拡散成分３２と、を含んでいる。ここでいう拡散成分３２とは、外観調整層３０内を進む光に対し、反射や屈折等によって、当該光の進路方向を変化させる作用を及ぼし得る成分のことである。このような拡散成分３２の光散乱機能つまり光拡散機能は、例えば、主部３１をなす材料とは異なる屈折率を有した材料から拡散成分３２を構成することにより、あるいは、光に対して反射作用を及ぼし得る材料から拡散成分３２を構成することにより、付与され得る。主部３１をなす材料とは異なる屈折率を有する拡散成分３２として、樹脂ビーズ、ガラスビーズ、金属化合物、気体を含有した多孔質物質、さらには、単なる気泡が例示される。
【００３１】
このように主部３１中に分散された拡散成分３２に起因して、外観調整層３０は、光を拡散させる拡散機能を発現することができる。拡散成分３２に起因した外観調整層３０の拡散機能の程度は、主部３１をなす樹脂材料、主部３１の厚み、拡散成分３２の構成、拡散成分３２の濃度等を適宜設定することにより、極めて広い範囲内で調節可能である。外観調整層３０の拡散の程度は、ＪＩＳ−Ｋ７１３６に準拠して測定されるヘイズ値を用いて表すことができる。本件発明者らが鋭意研究を重ねた結果、ＪＩＳ−Ｋ７１３６に準拠して測定した外観調整層３０のヘイズ値が、１５％以上であることが好ましく、３０％以上であることがさらに好ましく、５０％以上であることがさらに好ましいことが知見された。この場合、屋内Ｓ２にいる観察者が採光シート２を観察したときに、偏向機能をもつ偏向層１０と偏向機能の発揮を期待されない透光層２０と、の間で、外観上の違和感が生じることを目視にて目立たないレベルまで改善することができる。なお、一例として、外観調整層３０のヘイズ値は、外観調整層３０を接合層４０から剥離したサンプルを、ＪＩＳ−Ｋ７１３６に準拠して測定することにより特定可能である。
【００３２】
なお、外観調整層３０での反射は、等方性拡散でもよく、あるいは、異方性拡散でもよい。外観調整層３０が上述した構成からなる場合、等方性拡散機能を発揮することができる。等方性拡散機能を発揮する外観調整層３０の他の例として、例えば、樹脂製の外観調整層３０の屋内Ｓ２側の表面３０ａに、エンボス加工によって形成された微細な凹凸面であってもよい。あるいは、他の例として、ガラス製の外観調整層３０の屋内Ｓ２側の表面３０ａに、研磨処理によって微細な凹凸を付与されたすりガラスであってもよい。あるいは、さらに別の例として、ガラス製の外観調整層３０の屋内Ｓ２側の表面３０ａに、型模様を付与された型板ガラスであってもよい。あるいは、さらに別の例として、紙、とりわけ、障子紙が挙げられる。
【００３３】
一方、異方性拡散機能を発揮する外観調整層３０の一例として、外観調整層３０の屋内Ｓ２側の表面３０ａに、ヘアライン加工によって形成された微細な凹凸面が挙げられる。さらには、外観調整層３０の屋内Ｓ２側の表面３０ａに、微細なプリズム、レンズ、マイクロレンズといった透明な光学要素が設けられ、これらの光学要素に起因して、凹凸面をもつ外観調整層３０が、等方性拡散反射機能または異方性拡散反射機能を発現するようにしてもよい。
【００３４】
本実施の形態による採光シート２において、外観調整層３０は、ＪＩＳＫ７３６１に準拠して計測される全光線透過率が８０％以上である。全光線透過率が８０％以上となる場合、採光シート２によって屋内Ｓ２に取り込まれた光を屋内Ｓ２の照明光として効率よく利用することができ、採光シートとしての実用性の点で優れる。
【００３５】
次に、上述した偏向層１０の具体的な構成について図３を参照して説明する。図３は、偏向層１０を拡大して示す断面図である。図３に示すように、偏向層１０は、一軸方向ｄ１に沿って交互に繰り返し並べられた複数の第１領域１１及び複数の第２領域１２を有している。第１領域１１及び第２領域１２は、採光シート２のシート面と平行で一軸方向ｄ１と非平行な他軸方向ｄ２（図１参照）に延びている。図示する例において、他軸方向ｄ２は、一軸方向ｄ１に直交している。すなわち、第１領域１１及び第２領域１２の長手方向となる他軸方向ｄ２は、水平方向と平行になっている。
【００３６】
また、偏向層１０は、第１領域１１及び第２領域１２に積層されたシート状のランド部１３をさらに含んでいる。このランド部１３は、第２領域１２と一体的に形成されており、第２領域１２とともに本体部１４を形成している。言い換えると、偏向層１０は、他軸方向ｄ２に平行な長手方向をもつ複数の溝１４ａを一軸方向ｄ１に並べて形成された本体部１４を有し、本体部１４の複数の溝１４ａ内にそれぞれ第２領域１２が配置されている。そして、本体部１４のうちの隣り合う溝１４ａの間の部分が、第１領域１１を画定している。
【００３７】
本実施の形態において、第１領域１１乃至本体部１４をなす樹脂材料は、第２領域１２をなす樹脂材料よりも屈折率の小さい材料からなる。このため、第１領域１１と第２領域１２との境界に、屈折率差をもつ反射機能面１５が形成されている。上述のように、複数の第１領域１１と複数の第２領域１２とは、一軸方向ｄ１に交互に繰り返し配列されている。したがって、複数の反射機能面１５は、一軸方向ｄ１に沿って配列されることになる。本明細書でいう反射機能面１５とは、採光シート２に取り込まれることが意図された光に対して全反射作用を及ぼすことが期待された面をいう。典型的には、反射機能面１５は、採光シート２の法線方向ｎｄに対して一側に傾斜した方向から入射する光Ｌ３１、Ｌ３２の少なくとも一部を反射させて、法線方向ｎｄに対して一側に傾斜した方向に向かうように出射させる、あるいは、法線方向ｎｄに対してなす角度が小さくなるようにして当該法線方向ｎｄに対して他側に傾斜した方向に向かうように出射させるようになっている。本実施の形態において、反射機能面１５の配列方向は、鉛直方向に一致し、鉛直方向における上方（紙面の上方）から降り注ぐ太陽光Ｌ３１、Ｌ３２を反射機能面１５で反射させることが意図されている。したがって、本実施の形態では、第１領域１１と、当該第１領域１１と鉛直方向における下側（紙面における下側）で隣接する第２領域１２との境界が反射機能面１５をなす。一例として、反射機能面１５のピッチ、つまり隣り合う反射機能面１５の間隔は、２０μｍ〜１０００μｍ程度に設定される。
【００３８】
図３に示す反射機能面１５によれば、偏向層１０への入射角度θ１、θ２が大きい光Ｌ３１、Ｌ３２を反射機能面１５で反射して屋内Ｓ２の天井に向かわせることができる。一方、偏向層１０への入射角度θ３が小さい光Ｌ３３を、進行方向を維持したまま透過させることができる。すなわち、反射機能面１５によれば、入射角度θ１〜θ３に応じて進行方向を調整して光Ｌ３１〜Ｌ３３を透過させることができるため、直達光の到達を防止しながら室内Ｓ１に光Ｌ３１〜Ｌ３３を有効に取り込むことが可能となる。なお、偏向層１０への入射角度θ１〜θ３とは、偏向層１０に入射する光Ｌ３１〜Ｌ３３が偏向層１０への法線方向ｎｄに対してなす角度をいう。
【００３９】
とりわけ、図３に示す反射機能面１５は、鉛直方向における下方（紙面における下方）に凸となるように屈曲している。すなわち、反射機能面１５の入光側の部分１５ａは、反射機能面１５の出光側の部分１５ｂよりも、偏向層１０への法線方向ｎｄに対してなす角度が大きくなるように傾斜している。このような形態によれば、採光シート２への入射角度θ１がある程度まで大きい光Ｌ３１は、出光側の部分１５ｂで反射させられて室内の天井に向かわせられ得る。ただし、光Ｌ３４が第１調光制御パネル２０に入射する入射角度θ２が相当に大きくなってしまうと、出光側の部分１５ｂへの入射角度が出光側の部分１５ｂの全反射臨界角よりも小さくなってしまい、当該出光側の部分１５ｂを透過していってしまう。そこで、反射機能面１５の入光側の部分１５ａを出光側の部分１５ｂよりも大きく傾斜させることで、採光シート２への入射角度θ２が相当に大きい光Ｌ３２を入光側の部分１５ａで全反射させることができる。したがって、反射機能面１５の入光側の部分１５ａを出光側の部分１５ｂよりも大きく傾斜させることで、優れた防眩機能を発揮することに寄与する。
【００４０】
このような第１領域１１及びランド部１３は、同一の材料を用いて一体的に形成され得る。第１領域１１及びランド部１３をなす材料として、例えば、樹脂材料、とりわけ電離放射線の照射により硬化する電離放射線硬化性樹脂材料を用いることができる。電離放射線硬化性樹脂としては、紫外線硬化性樹脂、電子線硬化性樹脂、可視光線硬化性樹脂、近赤外線硬化性樹脂等が挙げられる。一方、第１領域１１よりも屈折率の低い材料からなる第２領域１２としては、例えば、電離放射線により硬化する特徴を有したウレタンアクリレート等の硬化性材料を用いることができる。
【００４１】
あるいは、第２領域１２は、空気からなってもよい。第２領域１２が空気からなる例については、特開２０１１−２２７１２０号公報や特表２０１３−５１４５４９号公報に記載されているため、ここでは詳細な説明を省略する。
【００４２】
図２に戻って、第１領域１１及び第２領域１２を含む偏向層１０に、一軸方向ｄ１における他側から、透光層２０が隣接している。上述のように、透光層２０は、屋内Ｓ２からの観察者に防眩機能を発揮すべく、鉛直方向ｄ１における上方に傾斜した方向から入射した光を、進行方向を維持したままで下方に向けて出光させる。透光層２０をなす材料として、光透過性に優れた材料、例えばポリエチレンテレフタレート（ＰＥＴ）のようなポリエステル樹脂を用いることができる。あるいは、透光層２０は、空隙つまり空気層からなってもよい。
【００４３】
また、偏向層１０及び透光層２０は、接合層４０を介して外観調整層３０に接続されている。すなわち、偏向層１０は、外観調整層３０の一部に積層され、透光層２０は、外観調整層３０の残りの部分に積層される。とりわけ、図２に示す例では、一軸方向ｄ１で隣接した偏向層１０と透光層２０とが接続され、他軸方向ｄ２に延びる継ぎ目Ｔが形成されている。この継ぎ目Ｔも外観調整層３０と重なる位置に位置するため、屋内Ｓ２にいる観察者にとって継ぎ目Ｔをも目立たなくさせることができる。
【００４４】
また、偏向層１０及び透光層２０の入光側の面は、接合層５を介して窓基材３に接合されている。この接合層５として、例えば、アクリル系、ウレタン系、シリコン系、ゴム系等の粘着剤からなる層を用いることができる。接合層５５の厚みは、一例として、５μｍ〜１００μｍ程度に形成される。また、上述の接合層４０をなす材料も、接合層５をなす材料と同様のものを用いることができる。
【００４５】
次に、窓基材３に貼り付けられた採光シート２の設置方法について説明する。窓基材３に貼り付けられた採光シート２は、偏向層１０が透光層２０よりも上下方向における上側に位置し、且つ、外観調整層３０が偏向層１０及び透光層２０よりも屋内Ｓ２側に位置するようにして、設置される。これにより、窓基材３及び採光シート２が屋外Ｓ１と屋内Ｓ２とを仕切るようにして建物の開口に設置され、窓部材１が構成される。
【００４６】
次に、以上に説明した本実施の形態の窓部材１及び採光シート２の作用について図４を参照して説明する。図４は、採光シート２の作用を説明するための断面図である。
【００４７】
夏季、特に昼間の時間帯においては、太陽の高度は比較的高い。上述のように、採光シート２のシート面が鉛直方向に平行に設置され、採光シート２への法線方向ｎｄが水平方向を向いている。このため、太陽光Ｌ４１、Ｌ４２は、採光シート２への入射角度θが比較的大きい方向から採光シート２に入射する。図２に示すように、採光シート２に入射した太陽光Ｌ４１、Ｌ４２のうち、偏向層１０に入射した太陽光Ｌ４１は、第１領域１１内を進行し反射機能面１５にて全反射する。この全反射した光Ｌ４１は、進行方向を上方に向かうように変更させられ、外観調整層３０に向かっていく。一方、透光層２０に入射した太陽光Ｌ４２は、進行方向を維持したままで透光層２０を透過していく。偏向層１０または透光層２０を透過した太陽光Ｌ４１、Ｌ４２は、当該外観調整層３０内で拡散されて屋内Ｓ２に取り込まれる。
【００４８】
一方、冬季及び朝や夕方の時間帯において、太陽の高度は比較的低い。このため、太陽光Ｌ４３、Ｌ４４は、採光シート２への入射角度θが比較的小さい方向から採光シート２に入射する。図２に示すように、採光シート２に入射した太陽光Ｌ４３、Ｌ４４のうち、偏向層１０に入射した太陽光Ｌ４３の多くは、反射機能面１５に入射することなく進行方向を維持したままで偏向層１０を透過する。一方、透光層２０に入射した太陽光Ｌ４４は、進行方向を維持したままで透光層２０を透過していく。偏向層１０または透光層２０を透過した太陽光Ｌ４３、Ｌ４４は、当該外観調整層３０内で拡散されて屋内Ｓ２に取り込まれる。
【００４９】
このような採光シート２を屋内Ｓ２にいる観察者が観察したときには、外観調整層３０が観察される。上述のように、屋外Ｓ１から偏向層１０または透光層２０を透過して外観調整層３０に入射した光Ｌ４１〜Ｌ４４は、当該外観調整層３０内で拡散されて屋内Ｓ２に取り込まれる。したがって、屋内Ｓ２にいる観察者が採光シート２を観察したときに、偏向機能をもつ偏向層１０と偏向機能の発揮を期待されない透光層２０と、の間で、外観上の違和感が生じることを抑制することができる。
【００５０】
以上のように、本実施の形態によれば、入射角度θに応じて進行方向を調整して光Ｌ４１、Ｌ４３を透過させる偏向層１０と、光散乱機能をもつ外観調整層３０と、を備え、偏向層１０は、外観調整層３０の一部に重なるようにして当該外観調整層３０に積層されている。このような形態によれば、偏向層１０を透過する光Ｌ４１及び偏向層１０を透過せずに採光シート２内を透過する光Ｌ４２を、外観調整層３０によって拡散させて屋内Ｓ２に取り込むことが可能となる。これにより、屋内Ｓ２にいる観察者が採光シート２を観察したときに、偏向層１０を採光シート２内で部分的に配置したことによる外観上の違和感を、外観調整層３０によって効果的に緩和することが可能となる。
【００５１】
また、本実施の形態によれば、外観調整層３０は、偏向層１０よりも屋内Ｓ２側に位置している。この場合、屋内Ｓ２にいる観察者が採光シート２を観察したときに散乱機能をもつ外観調整層３０が観察されるため、偏向層１０を採光シート２内で部分的に配置したことによる外観上の違和感を、外観調整層３０によって緩和することが可能となる。
【００５２】
また、本実施の形態によれば、採光シート２のシート面内を延びる一軸方向ｄ１に沿って偏向層１０と並べて配置された透光層２０をさらに備え、透光層２０は、外観調整層３０の、偏向層１０とは異なる別の一部に重なるようにして当該外観調整層３０に積層されている。このような形態によれば、偏向層１０にて進行方向を変更されるべき方向Ｌ４１、Ｌ４２から採光シート２に入射する光が、透光層２０に入射した場合、進行方向を維持したままで下方に向かっていく。このため、或る方向から採光シート２に入射する光Ｌ４１、Ｌ４２に対して、偏向層１０と透光層２０との間で、異なる偏向機能を発揮することができる。とりわけ、本実施の形態では、透光層２０は、鉛直方向における下方から偏向層１０に接続され、鉛直方向における上方に傾斜した方向から偏向層１０に入射する光Ｌ４１が、当該偏向層１０にて進行方向を変更させられることが意図されている。この場合、鉛直方向における上方に傾斜した方向から透光層２０に入射する光Ｌ４２は、進行方向を維持したままで下方に向かっていく。すなわち、鉛直方向における上方に傾斜した方向から、偏向層１０よりも下方に位置する透光層２０に入射した光Ｌ４２が、進行方向を維持したままで下方に向かっていくため、屋内Ｓ２にいる観察者に採光シート２にて跳ね上げられた光が到達して眩しく感じられることを抑制することができる。
【００５３】
また、本実施の形態による採光シート２の設置方法は、上述の採光シート２を、偏向層１０が透光層２０よりも上下方向における上側に位置するように、設置する工程を備える。すなわち、本実施の形態の窓部材１において、偏向層１０が透光層２０よりも鉛直方向における上側に位置する。このような形態によれば、上述のように、鉛直方向における上方に傾斜した方向から、偏向層１０よりも下方に位置する透光層２０に入射した光Ｌ４２が、進行方向を維持したままで下方に向かっていくため、屋内Ｓ２にいる観察者に採光シート２にて跳ね上げられた光が到達して眩しく感じられることを抑制することができる。
【００５４】
とりわけ、前記設置する工程において、採光シート２の外観調整層３０を、偏向層１０及び透光層２０よりも屋内Ｓ２側に位置させる。この場合、屋内Ｓ２にいる観察者が採光シート２を観察したときに散乱機能をもつ外観調整層３０が観察されるため、偏向機能をもつ偏向層１０と偏向機能の発揮を期待されない透光層２０と、の間で、外観上の違和感が生じることを抑制することができる。
【００５５】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５６】
上述した実施の形態では、図２に示すように、外観調整層３０が主部３１と拡散成分３２を含み、散乱機能を発揮する例を示したが、これに限られない。例えば、外観調整層３０は、ＪＩＳＫ７１３６に準拠して計測されるヘイズ値が１５％未満であり、且つ、ＪＩＳＫ７３６１に準拠して計測される全光線透過率が１０％以上８０％未満である層であってもよい。このような外観調整層３０として、例えば、可視光を吸収する機能をもつインキを網点状に印刷した透明樹脂シートや、レースカーテンに代表される編目をもつ布、あるいは、網戸が挙げられる。
【００５７】
全光線透過率が１０％以上である場合、採光シート２によって屋内Ｓ２に取り込まれた光を屋内Ｓ２の照明光として利用する用途に耐え得る機能を発揮し得る。一方、全光線透過率が８０％未満である場合、偏向層１０を透過する光及び偏向層１０に進入することなく採光シート２内を透過する光を、外観調整層３０によって部分的に吸収して屋内Ｓ２に取り込むことが可能となる。これにより、屋内Ｓ２にいる観察者が採光シート２を観察したときに、偏向層１０を採光シート２内で部分的に配置したことによる外観上の違和感を、外観調整層３０によって緩和することが可能となる。
【００５８】
また、上述した実施の形態では、透光層２０が主として入射する光をそのまま透過させることを意図した例を示したが、これに限られない。透光層２０は、屋外Ｓ１側から入射する光を屋内Ｓ２側に透過させるよう構成されている限り、偏向層１０とは異なる偏向機能を有する層であってもよい。
【００５９】
また、上述した実施の形態では、窓部材１が、単一の窓基材３と、この窓基材３に積層された採光シート２と、を有する例を示したが、これに限られない。図５に、窓部材１の他の例を示す。図５に示す例では、窓部材１が合わせガラスとして構成されている。図５に示す窓部材１は、窓基材３に対向して配置された更なる窓基材６をさらに有し、一対の窓基材３、６の間に採光シート２が配置されている。採光シート２は、接合層５を介して、各窓基材３、６に接合されている。図５に示す形態であっても、上述した実施の形態と同様な作用効果を奏することができる。
【００６０】
次に、図６を参照して、採光シート２のさらに別の適用例について説明する。図６は、採光シート２をロールスクリーン７に適用した例を示す図である。図６を参照して説明するロールスクリーン７は、建物に形成された開口を取り囲む枠９に取り付けられている。図６に示すように、ロールスクリーン７は、布８ａに貼り付けられた採光シート２と、採光シート２をロール状に巻き取る巻取手段８ｂと、を備えている。巻取手段８ｂは、採光シート２が貼り付けられた布８ａを巻き取り及び巻き出し可能に構成されている。採光シート２が貼り付けられた布８ａを巻取手段８ｂから巻き出した状態において、偏向層１０と透光層２０とが並べられた方向である一軸方向ｄ１が鉛直方向と一致するように配置され、枠９に取り囲まれた開口を覆うようになっている。図６に示す形態であっても、採光シート２が貼り付けられた布８ａを巻取手段８ｂから巻き出した状態において、上述した実施の形態と同様な作用効果を奏することができる。
【００６１】
なお、以上において上述した一実施の形態に対するいくつかの変形例を説明してきたが、当然に、複数の変形例を適宜組み合わせて適用することも可能である。
【符号の説明】
【００６２】
１    窓部材
２    採光シート
３    窓材
７    ロールスクリーン
１０  偏向層
１１  第１領域
１２  第２領域
１５  反射機能面
２０  透光層
３０  外観調整層
３１  主部
３２  拡散成分
４０  接合層
ｄ１  一軸方向
【図１】
0006578643.tif 000002
【図２】
0006578643.tif 000003
【図３】
0006578643.tif 000004
【図４】
0006578643.tif 000005
【図５】
0006578643.tif 000006
【図６】
0006578643.tif 000007